【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
互いに独立して制御可能であるように構成された複数の部分発光部を有する光源部と、
前記光源部から前記部分発光部単位で射出された光を入力映像信号に基づいて変調し、互いに異なる複数の映像ストリームを時分割的に順次切り換えて映像表示を行う液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記複数の映像ストリームにそれぞれ属する映像間での最大輝度レベルを単位領域ごとに求めることにより、前記複数の映像ストリームにそれぞれ属する映像の論理和である論理和映像を生成すると共に、
この論理和映像を用いて、前記発光パターン信号および前記部分駆動用映像信号をそれぞれ生成する
液晶表示装置。
【請求項２】
前記部分駆動化処理部は、
前記入力映像信号に基づいて前記論理和映像を生成する論理和映像生成部と、
前記論理和映像に対して所定の低解像度化処理を行う低解像度化処理部と
を有し、
前記低解像度化処理が行われた後の論理和映像を用いて、前記発光パターン信号および前記部分駆動用映像信号をそれぞれ生成する
請求項１に記載の液晶表示装置。
【請求項３】
前記複数の映像ストリームは、互いに視差を有する左眼用映像ストリームおよび右眼用映像ストリームである
請求項１または請求項２に記載の液晶表示装置。
【請求項４】
液晶表示装置と、
前記液晶表示装置における切り換え表示に同期した開閉動作を行うシャッター眼鏡と
を備え、
前記液晶表示装置は、
互いに独立して制御可能であるように構成された複数の部分発光部を有する光源部と、
前記光源部から前記部分発光部単位で射出された光を入力映像信号に基づいて変調し、互いに異なる複数の映像ストリームを時分割的に順次切り換えて映像表示を行う液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各部分発光部に対する発光駆動を行うと共に、前記部分駆動用映像信号を用いて前記液晶表示パネルに対する表示駆動を行う表示制御部と
を備え、
前記部分駆動化処理部は、
前記入力映像信号に基づいて、前記複数の映像ストリームにそれぞれ属する映像間での最大輝度レベルを単位領域ごとに求めることにより、前記複数の映像ストリームにそれぞれ属する映像の論理和である論理和映像を生成すると共に、
この論理和映像を用いて、前記発光パターン信号および前記部分駆動用映像信号をそれぞれ生成する
映像表示システム。
【請求項５】
前記複数の映像ストリームは、互いに視差を有する左眼用映像ストリームおよび右眼用映像ストリームである
請求項４に記載の映像表示システム。
【手続補正２】
【補正対象書類名】明細書
【補正対象項目名】００１３
【補正方法】変更
【補正の内容】
【００１３】
本発明はかかる問題点に鑑みてなされたもので、その目的は、部分発光動作を行う光源を用いて複数の映像（複数の映像ストリーム）を時分割表示する際に、表示画質を向上させることが可能な液晶表示装置、およびそのような液晶表示装置を用いた映像表示システムを提供することにある。
【手続補正３】
【補正対象書類名】明細書
【補正対象項目名】００１４
【補正方法】変更
【補正の内容】
【００１４】
本発明の液晶表示装置は、互いに独立して制御可能であるように構成された複数の部分発光部を有する光源部と、この光源部から部分発光部単位で射出された光を入力映像信号に基づいて変調し、互いに異なる複数の映像ストリームを時分割的に順次切り換えて映像表示を行う液晶表示パネルと、上記入力映像信号に基づいて、光源部における部分発光部単位での発光パターンを示す発光パターン信号と、部分駆動用映像信号とをそれぞれ生成する部分駆動化処理部を有し、発光パターン信号を用いて光源部の各部分発光部に対する発光駆動を行うと共に、部分駆動用映像信号を用いて液晶表示パネルに対する表示駆動を行う表示制御部とを備えたものである。上記部分駆動化処理部は、入力映像信号に基づいて、複数の映像ストリームにそれぞれ属する映像間での最大輝度レベルを単位領域ごとに求めることにより、複数の映像ストリームにそれぞれ属する映像の論理和である論理和映像を生成すると共に、この論理和映像を用いて、発光パターン信号および部分駆動用映像信号をそれぞれ生成する。
【手続補正４】
【補正対象書類名】明細書
【補正対象項目名】００１５
【補正方法】変更
【補正の内容】
【００１５】
本発明の映像表示システムは、上記本発明の液晶表示装置と、この液晶表示装置における切り換え表示に同期した開閉動作を行うシャッター眼鏡とを備えたものである。
【手続補正５】
【補正対象書類名】明細書
【補正対象項目名】００１６
【補正方法】変更
【補正の内容】
【００１６】
本発明の液晶表示装置および映像表示システムでは、入力映像信号に基づいて、光源部における部分発光部単位での発光パターンを示す発光パターン信号と、部分駆動用映像信号とがそれぞれ生成される。そして、発光パターン信号を用いて光源部の各部分発光部に対する発光駆動が行われると共に、部分駆動用映像信号を用いて液晶表示パネルに対する表示駆動が行われる。この際、上記入力映像信号に基づいて、複数の映像ストリームにそれぞれ属する映像の論理和である論理和映像が生成され、この論理和映像を用いて上記発光パターン信号および部分駆動用映像信号がそれぞれ生成される。これにより、互いに異なる複数の映像ストリームにそれぞれ属する映像について個別に生成された発光パターン信号を用いて発光駆動および表示駆動を行う場合とは異なり、複数の映像ストリームにそれぞれ属する映像間での発光輝度（表示輝度）の変動（時間的な変動）が回避され、フリッカーの発生が抑えられる。また、複数の映像ストリームにそれぞれ属する映像間での最大輝度レベルを単位領域ごとに求めることによって上記論理和映像が生成されるため、例えば時間軸方向に沿って発光パターン信号および部分駆動用映像信号を平準化するためのフィルタを用いた場合とは異なり、表示輝度の低下が生じることもない。
【手続補正６】
【補正対象書類名】明細書
【補正対象項目名】００１７
【補正方法】変更
【補正の内容】
【００１７】
本発明の液晶表示装置および映像表示システムによれば、入力映像信号に基づいて複数の映像ストリームにそれぞれ属する映像間での最大輝度レベルを単位領域ごとに求めることによって、複数の映像ストリームにそれぞれ属する映像の論理和である論理和映像を生成すると共に、この論理和映像を用いて発光パターン信号および部分駆動用映像信号をそれぞれ生成するようにしたので、表示輝度の低下を生じさせることなく（表示輝度を維持しつつ）、フリッカー発生を抑えることができる。よって、部分発光動作を行う光源を用いて複数の映像（複数の映像ストリーム）を時分割表示する際に、表示画質を向上させることが可能となる。
【手続補正７】
【補正対象書類名】明細書
【補正対象項目名】００２２
【補正方法】変更
【補正の内容】
【００２２】
液晶表示パネル２は、後述するバックライト３から射出された光を入力映像信号Ｄinに基づいて変調することにより、この入力映像信号Ｄinに基づく映像表示を行うものである。具体的には、詳細は後述するが、右眼用映像信号ＤＲに基づく右眼用映像（右眼用映像ストリーム）と、左眼用映像信号ＤＬに基づく左眼用映像（左眼用映像ストリーム）とを、時分割で交互に表示している。すなわち、この液晶表示パネル２では、後述する映像信号処理部４１において制御された出力順序に従って映像表示を行うことにより、立体映像表示のための時分割駆動がなされるようになっている。この液晶表示パネル２は、全体としてマトリクス状に配列された複数の画素２０を含んでいる。
【手続補正８】
【補正対象書類名】明細書
【補正対象項目名】００２８
【補正方法】変更
【補正の内容】
【００２８】
映像信号処理部４１は、入力映像信号Ｄinに基づいて、右眼用映像信号ＤＲおよび左眼用映像信号ＤＬの出力順序（書き込み順序，表示順序）の制御を行うことにより、映像信号Ｄ１を生成するものである。ここでは、１フレーム期間内において左眼用映像信号Ｄ１Ｌと右眼用映像信号Ｄ１Ｒとが交互に配列してなる映像信号Ｄ１を生成するようになっている。ここで、以下、１フレーム期間のうち、左眼用映像の表示期間を「Ｌサブフレーム期間」、右眼用映像の表示期間を「Ｒサブフレーム期間」と称する。なお、この映像信号処理部４１において、例えば高画質化のための所定の画像処理（例えば、シャープネス処理やガンマ補正処理など）を行うようにしてもよい。
【手続補正９】
【補正対象書類名】明細書
【補正対象項目名】００３７
【補正方法】変更
【補正の内容】
【００３７】
［部分駆動化処理部４２の詳細構成］
次に、図４を参照して、部分駆動化処理部４２の詳細構成について説明する。図４は、部分駆動化処理部４２のブロック構成を表したものである。この部分駆動化処理部４２は、共通化映像生成部４２１（論理和映像生成部）、低解像度化処理部４２２、ＢＬレベル算出部４２３、拡散部４２４およびＬＣＤレベル算出部４２５を有している。
【手続補正１０】
【補正対象書類名】明細書
【補正対象項目名】００３８
【補正方法】変更
【補正の内容】
【００３８】
共通化映像生成部４２１は、１フレーム期間内において左眼用映像信号Ｄ１Ｌと右眼用映像信号Ｄ１Ｒとが交互に配列してなる映像信号Ｄ１に基づいて、左眼用映像および右眼用映像に共通の映像である共通化映像（論理和映像）を生成するものである。具体的には、左眼用映像信号Ｄ１Ｌおよび右眼用映像信号Ｄ１Ｒの間での最大輝度レベルを単位領域ごと（ここでは画素２０ごと）に求めることにより、そのような共通化映像を構成する映像信号Ｄ２を生成するようになっている。このようにして生成された映像信号Ｄ２は、互いに同一の映像信号である左眼用映像信号Ｄ２Ｌと右眼用映像信号Ｄ２Ｒとが１フレーム期間内で交互に配列してなる。なお、この共通化映像生成部４２１の詳細動作については後述する。
【手続補正１１】
【補正対象書類名】明細書
【補正対象項目名】００５１
【補正方法】変更
【補正の内容】
【００５１】
具体的には、例えば図５に示したように、バックライト３の各部分発光領域３６による発光面イメージ７１と、液晶表示パネル２単独によるパネル面イメージ７２とが物理的に重ね合わせられた（掛け算的に合成された）合成イメージ７３が、液晶表示装置１全体として最終的に観察される映像となる。
【手続補正１２】
【補正対象書類名】明細書
【補正対象項目名】００５５
【補正方法】変更
【補正の内容】
【００５５】
そして、このような図６（Ａ）および図６（Ｂ）に示した状態が時分割で交互に繰り返されるため、液晶表示装置１の表示画面を観察者８がシャッター眼鏡６をかけて観察することにより、立体映像の観察が可能となる。すなわち、観察者８は、左眼用映像を左眼８Ｌ、右眼用映像を右眼８Ｒで見ることができ、また、これらの左眼用映像と右眼用映像との間には視差があるため、観察者８には奥行きのある立体的な映像として認識される。
【手続補正１３】
【補正対象書類名】明細書
【補正対象項目名】００５９
【補正方法】変更
【補正の内容】
【００５９】
ここで、この部分駆動化処理部１０４へ入力される映像信号Ｄ１において、時間軸に沿って交互に配列された左眼用映像信号Ｄ１Ｌおよび右眼用映像信号Ｄ１Ｒがそれぞれ、例えば図８（Ａ），（Ｂ）に示したような映像を示すものである場合について考える。すなわち、全体的に暗い（グレーレベルの）背景内に、小さな明るい物体が存在している静止映像について考える。この場合、左眼用映像信号Ｄ１Ｌと右眼用映像信号Ｄ１Ｒとの間では、互いに視差を有するため、映像内の小さな明るい物体の位置にずれが生じることになる。
【手続補正１４】
【補正対象書類名】明細書
【補正対象項目名】００７５
【補正方法】変更
【補正の内容】
【００７５】
すなわち、この部分駆動化処理部４２Ａでは、まず、低解像度化処理部４２２において映像信号Ｄ１（Ｄ１Ｌ，Ｄ１Ｒ）に対し、上記実施の形態で説明した所定の低解像度化処理を行う。次いで、共通化映像生成部４２１は、低解像度化処理後の映像信号に基づいて、上記実施の形態と同様にして、左眼用映像および右眼用映像に共通の映像である共通化映像を生成する。ただし、本変形例では、左眼用映像信号および右眼用映像信号の間での最大輝度レベルを、低解像度化後の単位領域ごと（具体的には、部分発光領域３６ごと）に求めることにより、そのような共通化映像を生成することになる。
【手続補正１５】
【補正対象書類名】明細書
【補正対象項目名】００７８
【補正方法】変更
【補正の内容】
【００７８】
本変形例のマルチビューシステムでは、１人目の観察者に対応する第１の映像信号に基づく第１の映像（第１の映像ストリーム）と、２人目の観察者に対応する第２の映像信号に基づく第２の映像（第２の映像ストリーム）とが、時分割で交互に表示される。すなわち、これまでは、シャッター眼鏡６における左眼用レンズ６Ｌおよび右眼用レンズ６Ｒごとに、それぞれ対応する左眼用映像および右眼用映像が表示されていたのに対し、本変形例では、観察者（ユーザ）ごとにそれぞれ対応する複数の映像が表示される。